(57)【特許請求の範囲】
【請求項１】
第１の端部および第２の端部をもつリード線を有し、第１の端部はカバーを有するソケットを有し、第２の端部はプラグを有し、前記カバーは該カバーの開放に抵抗する力をもつヒンジ接合部によって前記ソケットに取り付けられる延長コードにおいて、
前記ソケットは、前面および後面を含み、さらに前記前面と前記後面の間に被覆を有し、
前記カバーは、前記ソケットの前面を覆う第１の部分および前記前面から前記後面にかけて前記被覆上に広がる第２の部分を含み、
前記カバーの第２の部分は保持具を有し、該保持具は溝を含み、該溝の底部には任意のリード線を係合可能な孔が形成され、前記溝の幅は第２の部分の縁部から前記孔に向かうにつれて減少することを特徴とする延長コード。
【請求項２】
請求項１に記載の延長コードにおいて、前記溝は、前記カバーの縁部に前記ヒンジ接合部に対向して設けられることを特徴とする延長コード。
【請求項３】
請求項１に記載の延長コードにおいて、前記溝は、前記カバーの縁部に前記ヒンジ接合部に対向して設けられ、前記溝は部分的に重なって連続する孔で形成されることを特徴とする延長コード。
【請求項４】
カバーの開放に抵抗する力をもつヒンジ接合部によって前記カバーがソケットに取り付けられるカバー付のソケットにおいて、
前記ソケットは、前面および後面を含み、さらに前記前面と前記後面の間に被覆を有し、
前記カバーは、前記ソケットの前面を覆う第１の部分および前記前面から前記後面にかけて前記被覆上に広がる第２の部分を含み、
前記カバーの第２の部分は保持具を有し、該保持具は溝を含み、該溝の底部には任意のリード線を係合可能な孔が形成され、前記溝の幅は第２の部分の縁部から前記孔に向かうにつれて減少することを特徴とするカバー付きのソケット。
【請求項５】
請求項４に記載のソケットにおいて、前記カバーは、該ソケットの被覆の一部分を形成する一体型カバーであることを特徴とするソケット。
【請求項６】
請求項４に記載のソケットにおいて、該ソケットの前面を覆う前記カバーの周縁部の形状が長円形であることを特徴とするソケット。
【請求項７】
請求項４に記載のソケットにおいて、該ソケットの前面を覆う前記カバーの周縁部の形状は部分的に拡張されていることを特徴とするソケット。
【請求項８】
請求項４に記載のソケットにおいて、該ソケットの前面を覆う前記カバーの周縁部の形状は、該カバーに覆われる該ソケットの被覆の周縁部と比較して全面的に拡張されていることを特徴とするソケット。
【請求項９】
ソケットのカバーにおいて、
該カバーは前記ソケットの前面を覆う第１の部分および前記ソケットの被覆上に広がる第２の部分を含み、前記被覆は前記ソケットの前記前面と前記ソケットの後面の間に設けられ、第２の部分は前記前面から前記後面にかけて広がり、
該カバーの第２の部分は保持具を有し、該保持具は溝を含み、該溝の底部には任意のリード線を係合可能な孔が形成され、前記溝の幅は第２の部分の縁部から前記孔に向かうにつれて減少することを特徴とするソケットのカバー。
【発明の詳細な説明】
【発明の分野】
【０００１】
本発明は、第１の端部および第２の端部をもつリード線を有する延長コードに関するものである。第１の端部はカバーをもつソケットを有し、第２の端部はプラグを有する。カバーは、カバーの開放に抵抗する力をもつヒンジ接合部によってソケットに取り付けられる。本発明は、カバーの開放に抵抗する力をもつヒンジ接合部によってソケットに取り付けられるカバーを有するソケットおよびソケットのカバーに関するものでもある。
【背景】
【０００２】
従来技術による手法がいくつか知られている。例えば、米国特許第5,336,107号では、電気プラグと延長コードを他のプラグと延長コードに保持する装置は、周クランプ素子によってプラグに隣接するコードに固定されるファスナ条素子を用いることを開示している。電気プラグを対応するソケットに嵌め込むとき、プラグに固定される機械的ファスナ素子は対応するソケットに装着される協働締付素子と係合し、嵌込体を接続状態に保持する。
【０００３】
従来技術の手法は、プラグとソケットを固く取り付けている状態を保つことを目的とする。上述の装置に関連する問題点は、対応部品を必要とすることにある。すなわち、プラグとソケットの双方が互いを取り付ける締付要素を有する必要がある。
【発明の説明】
【０００４】
本発明は、上述の問題を克服することを目的とする。本発明の延長コード、本発明のソケットおよび本発明のカバーは、カバーが保持具を有することを特徴とする。
【０００５】
この発明の利点は、保持具は対応部品を必要とせず、広く使用可能なことにある。延長コードの利用者は、利用可能なあらゆるプラグを用いて、ソケットおよびプラグの間を堅固に結合することができる。
【０００６】
本発明は主に、交流電源ソケットの接続に利用されるが、他の使用も可能である。本発明は、国家規格または地域規格に従っているソケットに用いられることに限定されず、全世界的に利用され得る。
【０００７】
延長コードは、プラグ、リード線および少なくとも１つのソケットを有する。プラグは前面および後面を含む。プラグに接続されるリード線はプラグの後面から延び、プラグの前面は電気的接触の構成要素となるピンを有する。ソケットもまた前面および後面を含み、さらに前面と後面の間に被覆を有する。ソケットに接続されるリード線はソケットの後面から延びている。ソケットの前面はピンを被覆の内部に受け入れるレセプタクルを含み、プラグとソケットを連結できるようにする。ソケットの前面は、ヒンジ接合具によってソケットに取り付けられるカバーで覆われる。ヒンジ接合具は通常、被覆の前面部周縁上にある。接合具は、カバーの開放に抵抗する力をもつ。接合具は、意図せずカバーが開くことを防ぐのに十分な力をかけられるように、例えばばね仕掛けであってもよい。
【０００８】
カバーは、いかなるプラグにも使用できる保持具を有する。カバーはソケットの前面を覆うが、被覆上に広がってもいる。そのようにして、カバーが届く範囲が広がり、これにより本発明のソケットはソケットに連結可能なプラグの長さの変化による影響を受けなくなる。カバーはプラグ上にまで及ぶとともに、カバーの保持具はプラグの後面またはプラグの後面から延びるリード線を把持し、ソケットとプラグの連結を堅固に保つ。連結されたプラグが比較的短い場合にはカバーはさほど開かないが、連結されたプラグが比較的長い場合にはカバーはより大きめに開く。それでも、保持具はたとえ延長コードが引っ張られてもプラグとリード線の強固な取付けを保持するような力でプラグまたはリード線を把持する。しかしながら、引張り力が極めて強ければ連結部は外れるであろう。
【０００９】
保持具はカバーの縁部に溝を含む。さらに、保持具は溝の底部に孔を含んでいてもよい。または、部分的に重なって連続する孔が溝を形成し、溝の底部に向かうにつれて幅を減少させてもよい。溝の底部の孔によりリード線はその場所に保持される。部分的に重なって連続する孔が溝を形成し、カバーの縁に向かうにつれて溝の幅が広がる場合には、任意の位置で様々な直径のリード線を保持する。孔の数を変えてもよい。
【００１０】
本発明を延長リールに用いることもできる。延長リールは、ソケットの端部内に通じている延長コードであり、場合によっては延長リール上に複数のソケットを有する。
【００１１】
さらに本発明を、例えば壁に取付け可能なソケットに用いることもできる。
【図面の簡単な説明】
【００１２】
以下において、図面を参照しつつ発明を説明する。すなわち、
図1aないし図1dは、一体型カバーを有するソケットを示し、
【図１ａ】ソケットを示す正面図である。
【図１ｂ】ソケットを示す斜視図である。
【図１ｃ】ソケットおよびプラグを示す斜視図である。
【図１ｄ】ソケットを示す側面図である。  図2aないし図2cは、非一体型カバーを有するソケットを示し、
【図２ａ】ソケットを示す正面図である。
【図２ｂ】ソケットを示す側面図である。
【図２ｃ】ソケットおよびプラグを示す斜視図である。  図3aないし図3cは、ソケットのカバーを示し、
【図３ａ】カバーを示す正面図である。
【図３ｂ】カバーを示す側面図である。
【図３ｃ】カバーを示す斜視図である。  図4aないし図6bは、本発明のカバーを示し、
【図４ａ】長円形のカバーを示す斜視図である。
【図４ｂ】長円形のカバーを上から示す。
【図５ａ】部分的に拡張されているカバーを示す斜視図である。
【図５ｂ】部分的に拡張されているカバーを上から示す。
【図６ａ】全面的に拡張されているカバーを示す斜視図である。
【図６ｂ】全面的に拡張されているカバーを上から示す。  図7aないし図7eは、カバーを有するソケットを示し、
【図７ａ】ソケットを示す正面図である。
【図７ｂ】ソケットを示す側面図である。
【図７ｃ】閉じているカバー付のソケットを示す斜視図である。
【図７ｄ】ソケットおよびプラグを示す斜視図である。
【図７ｅ】開いているカバー付のソケットを示す斜視図である。
【図８】複数のソケット付の延長リールを示す斜視図である。
【図９】壁に取付け可能なソケットを示す斜視図である。
【図１０ａ】ソケットを示す正面図である。
【図１０ｂ】閉じているカバー付のソケットを示す斜視図である。
【図１０ｃ】ソケットおよびプラグを示す斜視図である。
【図１１ａ】ソケットを示す正面図である。
【図１１ｂ】閉じているカバー付のソケットを示す斜視図である。
【図１１ｃ】ソケットおよびプラグを示す斜視図である。
【図１２】複数のソケット付の延長リールを示す斜視図である。
【図１３】壁に取付け可能なソケットを示す斜視図である。
【発明の詳細な説明】
【００１３】
図1a〜図1dは、前面４および後面６を有するソケット１を示す。リード線７はソケット１の後面６から延びている。
【００１４】
ソケット１は、一体型カバー２を有する。すなわち、図1cに見られるように、カバー２はソケット１の外部被覆３の一部分を形成する。外部被覆３は凹部10を含む。凹部10の縁部12は、カバー２の縁部11と合致する。カバー２はヒンジ５によってソケット１に固定される。ヒンジ５は、カバー２の開放に抵抗する力をもつ。実際には、このような力をばねによって得てもよい。すなわち、ヒンジ５はばね仕掛けである。
【００１５】
カバー２はスリーブ18に取り囲まれる溝13を含み、溝13の底部には孔14がある。溝13および孔14は、本発明のうちの保持具を形成する。使用中には、図1cで見られるように、ソケット１のカバー２は開いているが、ヒンジ５に行き渡る力がカバー２の開放に抵抗する。保持具はプラグ８および／またはリード線９を係合する。プラグ８の寸法に応じて、溝13はプラグ８の捕捉に関わってもよく、または孔14はリード線９の捕捉に関わってもよい。カバー２をうまく設計することで、様々な形状、寸法および規格のプラグに本発明を適用することができる。
【００１６】
図2aないし図2cは非一体型のカバー２を備えるソケット１を示す。このソケットでは、外部被覆３に凹部はないが、カバー２は外部被覆３上に広がっている。図3aないし図3cはカバー２を単独で示す。
【００１７】
図4aないし図6bは、非一体型カバー２を形成する別の可能な手段を示す。図4aおよび図4bは、外部被覆３の周縁部上に広がり得る長円形カバーを示す。図4b、図5bおよび図6bの破線は、カバー２に覆われるソケット１の前面４を示す。前面４は、プラグ８のピンを受け入れるレセプタクル15および接地クリップ16を含む。外部被覆の周縁は17によって示される。
【００１８】
図5aおよび図5bは部分的に拡張されているカバーを示す。カバー２の周縁の一部は外部被覆３の周縁17と比較して拡張されている。図５に示すように、拡張されている領域の中央部はヒンジ５に対向することが好ましい。
【００１９】
図6aおよび図6bは全面的に拡張されているカバーを示す。カバー２の周縁全体は、外部被覆３の周縁17と比較して拡張されている。
【００２０】
図7aないし図7eは、先の図面とは異なる規格に沿うソケット１およびプラグ８を示す。しかしながら、図7aから図7bの構成は、図1aないし図1dに示す構成と類似している。
【００２１】
図８は延長リール20を示す。延長リール20は、リールコア19およびリード線７を有する。リールコア19は、リード線７を巻き取るクランクハンドル21および延長リール20を運ぶハンドル22を備える。リールコア19の側面には、４つのカバー２付ソケット１が取り付けられている。ソケット１は、リード線７の第１の端部と電気的に接触している。リード線７の第２の端部には、プラグ８（不図示）がある。
【００２２】
図９は、壁に取付け可能なプラグポイント23を示す。プラグポイント23は、カバー付のソケット１を有する。ソケット１は、取付板24に取り付けられる。取付板24は隅部にねじ穴25を有する。
【００２３】
図10a〜図10cは、前面４および後面６を有するソケット１を示す。リード線７はソケット１の後面６から延びている。
【００２４】
ソケット１は一体型カバー２を有する。すなわち、図10cに示すように、カバー２はソケット１の外部被覆３の一部分を形成する。外部被覆３は凹部10を含む。凹部10の縁部12は、カバー２の縁部11に対応する。カバー２は、外部被覆３の前面部周縁上のヒンジ５によってソケット１に固定される。ヒンジ５は、カバー２の開放に抵抗する力をもつ。実際には、このような力をばねによって得てもよい。すなわち、ヒンジ５はばね仕掛けである。
【００２５】
カバー２は、スリーブ18に取り囲まれる溝13を含む。部分的に重なって連続する孔14が溝13を形成する。溝13の幅を、底部に向かうにつれて減少させてもよい。溝13に尖った部分が存在しないようにして、溝13の縁を滑らかにしてもよい。しかしながら、溝の設計を器具の選択に応じて変えても構わない。
【００２６】
部分的に重なって連続する孔14をもつ溝13は、本発明のうちの保持具を形成する。使用中には、図10cで見られるように、ソケット１のカバー２は開いているが、ヒンジ５に行き渡る力がカバー２の開放に抵抗する。保持具はプラグ８および／またはリード線９を係合する。プラグ８の寸法に応じて、溝13はプラグ８の捕捉に関わってもよく、または孔14はリード線９の捕捉に関わってもよい。溝13の幅はカバーの縁に向かうにつれて増大するので、すなわち、重なって連続する孔14の直径が異なるので、溝13は直径が異なるリード線９を捕捉することができるようになる。
【００２７】
図11aないし図11cは、図10a〜図10cとは異なる規格に沿うソケット１およびプラグ８を示す。しかしながら、図11aないし図11cの構成は、図10aないし図10cに示す構成と類似している。
【００２８】
図12は延長リール20を示す。延長リール20は、リールコア19およびリード線７を有する。リールコア19は、リード線７を巻き取るクランクハンドル21および延長リール20を運ぶハンドル22を備える。リールコア19の側面には、４つのカバー２付ソケット１が取り付けられている。ソケット１は、リード線７の第１の端部と電気的に接触している。リード線７の第２の端部には、プラグ８（不図示）がある。
【００２９】
カバー２は、部分的に重なって連続する孔14をもつ溝13を含み、溝13は本発明のうちの保持具を形成する。
【００３０】
図13は、壁に取付け可能なプラグポイント23を示す。プラグポイント23は、カバー付のソケット１を有する。ソケット１は取付板24に取り付けられる。取付板24は隅部にねじ穴25を有する。
【００３１】
カバー２は、部分的に重なって連続する孔14をもつ溝13を含み、溝13は本発明のうちの保持具を形成する。
【００３２】
図面のうち、図1aないし図6b、図８、図９、図10aないし図10c、図12および図13は、欧州規格（CEE 7/4）に沿うソケットを示す。図7aないし図7eおよび図11aないし図11cは、米国規格（NEMA 15-5）に沿うソケットを示す。しかしながら、本発明は規格を制限するものではなく、別の規格に沿うソケットに適用することも可能である。上述の変形例に加えて、説明した溝の形態を本文で述べたいかなるカバーに用いることもできる。
【図１ａ】
0006638059.tif 000002
【図１ｂ】
0006638059.tif 000003
【図１ｃ】
0006638059.tif 000004
【図１ｄ】
0006638059.tif 000005
【図２ａ】
0006638059.tif 000006
【図２ｂ】
0006638059.tif 000007
【図２ｃ】
0006638059.tif 000008
【図３ａ】
0006638059.tif 000009
【図３ｂ】
0006638059.tif 000010
【図３ｃ】
0006638059.tif 000011
【図４ａ】
0006638059.tif 000012
【図４ｂ】
0006638059.tif 000013
【図５ａ】
0006638059.tif 000014
【図５ｂ】
0006638059.tif 000015
【図６ａ】
0006638059.tif 000016
【図６ｂ】
0006638059.tif 000017
【図７ａ】
0006638059.tif 000018
【図７ｂ】
0006638059.tif 000019
【図７ｃ】
0006638059.tif 000020
【図７ｄ】
0006638059.tif 000021
【図７ｅ】
0006638059.tif 000022
【図８】
0006638059.tif 000023
【図９】
0006638059.tif 000024
【図１０ａ】
0006638059.tif 000025
【図１０ｂ】
0006638059.tif 000026
【図１０ｃ】
0006638059.tif 000027
【図１１ａ】
0006638059.tif 000028
【図１１ｂ】
0006638059.tif 000029
【図１１ｃ】
0006638059.tif 000030
【図１２】
0006638059.tif 000031
【図１３】
0006638059.tif 000032